(57)【要約】【課題】  同報通信における通話を行ないながら聞き手であるグループメンバの意思表示を把握することができる同報送信システム、サーバ装置、端末装置、データ配信方法およびプログラムを提供する。【解決手段】  端末装置３００Ａは、ＰＴＴ通話中に、データをＰＴＴサーバ１００に送信し、ＰＴＴサーバ１００は、受信したデータの集計を行ない、集計結果データをＰＴＴ通話メンバが使用する端末装置である端末装置３００Ａ〜Ｃに送信し、端末装置３００Ａ〜Ｃは、集計結果データを受信して出力する。【選択図】  図１
2006304177.tif 000002
【特許請求の範囲】
【請求項１】
ネットワークを介して接続されているサーバと、複数の端末装置と、を含む同報送信システムであって、
前記端末装置は、ＰＴＴ通話中に、データを前記サーバに送信するデータ送信手段と、
前記サーバから集計結果データを受信して出力する出力手段と、を備え、
前記サーバは、前記端末装置から受信したデータの集計を行なう集計手段と、
集計結果データをＰＴＴ通話メンバが使用する端末装置に送信する集計データ送信手段と、を備えることを特徴とする同報送信システム。
【請求項２】
前記端末装置は、前記サーバへの集計要求を発行する集計要求手段を備え、
前記サーバの集計手段は、前記端末装置から集計要求があったときにデータの集計を行なうことを特徴とする請求項１記載の同報送信システム。
【請求項３】
前記サーバは、前記端末装置へ集計案内データを送信する集計案内手段を備え、
前記端末装置の出力手段は、前記サーバから集計案内があったときに集計案内データを出力することを特徴とする請求項１または２記載の同報送信システム。
【請求項４】
前記サーバの集計手段は、所定の時間内に受信した前記受信したデータの集計を行なうことを特徴とする請求項１から３のいずれか１項に記載の同報送信システム。
【請求項５】
前記サーバの集計手段は、複数の選択肢から前記端末装置が選択したデータの集計を行なうことを特徴とする請求項１から４のいずれか１項に記載の同報送信システム。
【請求項６】
前記サーバの集計手段は、前記端末装置のうち応答があったものと応答がなかったものについてそれぞれの集計を行なうことを特徴とする請求項１から５のいずれか１項に記載の同報送信システム。
【請求項７】
前記端末装置は、前記サーバへの集計処理の終了要求を発行する集計処理要求手段を備え、
前記サーバの集計手段は、前記端末装置から集計処理の終了要求があったときにデータの集計処理を終了することを特徴とする請求項１から６のいずれか１項に記載の同報送信システム。
【請求項８】
前記サーバは、前記集計手段により集計されたデータに基づいて前記端末装置に送信するデータを作成する作成手段を備えることを特徴とする請求項１から７のいずれか１項に記載の同報送信システム。
【請求項９】
前記サーバは、前回の集計値データをクリアするリセット手段を備えることを特徴とする請求項１から８のいずれか１項に記載の同報送信システム。
【請求項１０】
前記端末装置のデータ送信手段が、前記サーバに送信するデータは、テキストデータであることを特徴とする請求項１から９のいずれか１項に記載の同報送信システム。
【請求項１１】
ネットワークを介して接続されているＰＴＴ通話中の端末装置から受信したデータの集計を行なう集計手段と、
集計結果データをＰＴＴ通話メンバが使用する端末装置に送信する集計データ送信手段と、を備えることを特徴とするサーバ装置。
【請求項１２】
前記集計手段は、前記端末装置から集計要求があったときにデータの集計を行なうことを特徴とする請求項１１記載のサーバ装置。
【請求項１３】
前記サーバは、前記端末装置へ集計案内データを送信する集計案内手段を備えることを特徴とする請求項１１または１２記載のサーバ装置。
【請求項１４】
前記集計手段は、所定の時間内に受信した前記受信したデータの集計を行なうことを特徴とする請求項１１から１３のいずれか１項に記載のサーバ装置。
【請求項１５】
前記集計手段は、複数の選択肢から前記端末装置が選択したデータの集計を行なうことを特徴とする請求項１１から１４のいずれか１項に記載のサーバ装置。
【請求項１６】
前記集計手段は、前記端末装置のうち応答があったものと応答がなかったものについてそれぞれの集計を行なうことを特徴とする請求項１１から１５のいずれか１項に記載のサーバ装置。
【請求項１７】
前記集計手段は、前記端末装置から集計処理の終了要求があったときにデータの集計処理を終了することを特徴とする請求項１１から１６のいずれか１項に記載のサーバ装置。
【請求項１８】
前記集計手段により集計されたデータに基づいて前記端末装置に送信するデータを作成する作成手段を備えることを特徴とする請求項１１から１７のいずれか１項に記載のサーバ装置。
【請求項１９】
前回の集計値データをクリアするリセット手段を備えることを特徴とする請求項１１から１８のいずれか１項に記載のサーバ装置。
【請求項２０】
前記集計手段が、前記端末装置から受信して集計するデータは、テキストデータであることを特徴とする請求項１１から１９のいずれか１項に記載のサーバ装置。
【請求項２１】
ＰＴＴ通話中に、データをネットワークを介して接続されているサーバに送信するデータ送信手段と、
前記サーバから該サーバが受信したデータを集計した集計結果データを受信して出力する出力手段と、を備えることを特徴とする端末装置。
【請求項２２】
前記サーバへの集計要求を発行する集計要求手段を備えることを特徴とする請求項２１記載の端末装置。
【請求項２３】
前記出力手段は、前記サーバから集計案内があったときに集計案内データを出力することを特徴とする請求項２１または２２記載の端末装置。
【請求項２４】
前記サーバへの集計処理の終了要求を発行する集計処理要求手段を備えることを特徴とする請求項２１から２３のいずれか１項に記載の端末装置。
【請求項２５】
前記データ送信手段が、前記サーバに送信するデータは、テキストデータであることを特徴とする請求項２１から２４のいずれか１項に記載の端末装置。
【請求項２６】
ネットワークを介して接続されているサーバと、複数の端末装置と、を利用したデータ配信方法であって、
前記端末装置が、データ送信手段によってＰＴＴ通話中に、データを前記サーバに送信するステップを有し、
前記サーバが、集計手段によって前記端末装置から受信したデータの集計を行なうステップと、
集計データ送信手段によって集計結果データをＰＴＴ通話メンバが使用する端末装置に送信するステップと、を有し、
前記端末装置が、前記サーバから集計結果データを受信して出力する出力手段によってステップと、をさらに有することを特徴とするデータ配信方法。
【請求項２７】
前記端末装置が、集計要求手段によって前記サーバへの集計要求を発行するステップをさらに有し、
前記サーバの集計手段は、前記端末装置から集計要求があったときにデータの集計を行なうことを特徴とする請求項２６記載のデータ配信方法。
【請求項２８】
前記サーバが、集計案内手段によって前記端末装置へ集計案内データを送信するステップをさらに有し、
前記端末装置の出力手段は、前記サーバから集計案内があったときに集計案内データを出力することを特徴とする請求項２６または２７記載のデータ配信方法。
【請求項２９】
前記サーバの集計手段は、所定の時間内に受信した前記受信したデータの集計を行なうことを特徴とする請求項２６から２８のいずれか１項に記載のデータ配信方法。
【請求項３０】
前記サーバの集計手段は、複数の選択肢から前記端末装置が選択したデータの集計を行なうことを特徴とする請求項２６から２９のいずれか１項に記載のデータ配信方法。
【請求項３１】
前記サーバの集計手段は、前記端末装置のうち応答があったものと応答がなかったものについてそれぞれの集計を行なうことを特徴とする請求項２６から３０のいずれか１項に記載のデータ配信方法。
【請求項３２】
前記端末装置が、集計処理要求手段によって前記サーバへの集計処理の終了要求を発行するステップをさらに有し、
前記サーバの集計手段は、前記端末装置から集計処理の終了要求があったときにデータの集計処理を終了することを特徴とする請求項２６から３１のいずれか１項に記載のデータ配信方法。
【請求項３３】
前記サーバが、作成手段によって、前記集計手段により集計されたデータに基づいて前記端末装置に送信するデータを作成するステップをさらに有することを特徴とする請求項２６から３２のいずれか１項に記載のデータ配信方法。
【請求項３４】
前記サーバが、リセット手段によって前回の集計値データをクリアするステップをさらに有することを特徴とする請求項２６から３３のいずれか１項に記載のデータ配信方法。
【請求項３５】
前記端末装置がデータ送信手段によって前記サーバに送信するデータは、テキストデータであることを特徴とする請求項２６から３４のいずれか１項に記載のデータ配信方法。
【請求項３６】
端末装置に、データ送信手段によってＰＴＴ通話中に、データをネットワークを介して接続されているサーバに送信するステップを実行させ、
前記サーバに、集計手段によって前記端末装置から受信したデータの集計を行なうステップと、
集計データ送信手段によって集計結果データをＰＴＴ通話メンバが使用する端末装置に送信するステップと、を実行させ、
前記端末装置に、前記サーバから集計結果データを受信して出力する出力手段によってステップと、をさらに実行させることを特徴とするプログラム。
【請求項３７】
前記端末装置に、集計要求手段によって前記サーバへの集計要求を発行するステップをさらに実行させ、
前記サーバの集計手段に、前記端末装置から集計要求があったときにデータの集計を行なわせることを特徴とする請求項３６記載のプログラム。
【請求項３８】
前記サーバに、集計案内手段によって前記端末装置へ集計案内データを送信するステップをさらに実行させ、
前記端末装置の出力手段は、前記サーバから集計案内があったときに集計案内データを出力させることを特徴とする請求項３６または３７記載のプログラム。
【請求項３９】
前記サーバの集計手段に、所定の時間内に受信した前記受信したデータの集計を行なわせることを特徴とする請求項３６から３８のいずれか１項に記載のプログラム。
【請求項４０】
前記サーバの集計手段に、複数の選択肢から前記端末装置が選択したデータの集計を行なわせることを特徴とする請求項３６から３９のいずれか１項に記載のプログラム。
【請求項４１】
前記サーバの集計手段に、前記端末装置のうち応答があったものと応答がなかったものについてそれぞれの集計を行なわせることを特徴とする請求項３６から４０のいずれか１項に記載のプログラム。
【請求項４２】
前記端末装置に、集計処理要求手段によって前記サーバへの集計処理の終了要求を発行するステップをさらに実行させ、
前記サーバの集計手段に、前記端末装置から集計処理の終了要求があったときにデータの集計処理を終了させることを特徴とする請求項３６から４１のいずれか１項に記載のプログラム。
【請求項４３】
前記サーバに、作成手段によって、前記集計手段により集計されたデータに基づいて前記端末装置に送信するデータを作成するステップをさらに実行させることを特徴とする請求項３６から４２のいずれか１項に記載のプログラム。
【請求項４４】
前記サーバに、リセット手段によって前回の集計値データをクリアするステップをさらに実行させることを特徴とする請求項３６から４３のいずれか１項に記載のプログラム。
【請求項４５】
前記端末装置にデータ送信手段によって前記サーバに送信させるデータは、テキストデータであることを特徴とする請求項３６から４４のいずれか１項に記載のプログラム。
【発明の詳細な説明】
【技術分野】
【０００１】
本発明は、同報送信での通話中において集計されたデータが配信される同報送信システム、サーバ装置、端末装置、データ配信方法およびプログラムに関する。
【背景技術】
【０００２】
従来、同報送信システムとしては、移動通信におけるＰｏＣ（Ｐｕｓｈ  ｔｏ  ｔａｌｋ  ｏｖｅｒ  Ｃｅｌｌｕｌａｒ）を用いるシステムがある。ここで、ＰｏＣとは主として移動通信網を利用したウォーキー・トーキーのようなもので、通話は一方通行となる。
【０００３】
また、ＰｏＣは、ＩＭ（Ｉｎｓｔａｎｔ  Ｍｅｓｓａｇｉｎｇ）のように、話す相手をグループ化することができ、相手の状態を見ることができる。したがって、ＰｏＣでは通話状態にある相手（一人またはグループ）を選択して、通話ボタンを押すことで通話可能となる。つまり、ＰｏＣは携帯電話のトランシーバモードであり、通話先の番号をダイアルする必要がなく、接続までの時間は短かく、複数箇所と同時に通話を行なうことができる。
【０００４】
ＰｏＣにおいては、通常の通話よりも割安な料金に設定されることが多い。また、その操作手順としては、通常の電話帳とは別に用意された通話先リストを開き、相手を選択して決定し、通話ボタンを押すことで通話することとなる。その際、複数の通話先を選択しておけば、多地点通話となる。
【０００５】
ここで、共通の基地局と複数の移動局との間でデータ通信および音声通話を行なう通信方式に関し、データ専用無線機と音声専用無線機を有する基地局と、データ／音声兼用の無線機を有し、基地局のデータ専用無線機との間のデータ専用回線を使用してデータの送受信を行ない、また基地局の音声専用無線機との間の音声専用回線を使用して音声の送受信を行なう複数の移動局とを対向させ、基地局はデータ専用回線を使用して音声通話の要求データを希望移動局に送信し、また移動局はブレストークスイッチをオンにしてから一定時間内に限り音声専用回線を使用する音声通話モードになり、一定時間経過後は自動的にデータ専用回線を使用するデータ通信モードへ復帰するように構成することで、音声通話の割込みによるデータ伝送エラーの発生およびデータ通信の割込みによる音声通話の中断、さらには音声通話モードからデータ通信モードへの切換え忘れを防止することができる技術が提案されている（例えば、特許文献１参照）。
【特許文献１】特開平３−２８９７２５号公報
【発明の開示】
【発明が解決しようとする課題】
【０００６】
しかしながら、上述した従来例においては次のような問題点があった。
【０００７】
従来のＰｏＣにおいては、複数人の音声を同時に送信できないため通話を行なっている際に、通話メンバの意見を確認するためには一人一人、発言権を切り替えて意見を聴衆する必要があり、メンバ全員の意見を確認するまで多くの時間を要した。
【０００８】
また、グループ参加者には音声のみが同報配信されていたため、音声のみのやりとりとなるため、参加者の表情や状況が伝わりにくく、ＰＴＴ発言者にとって顔の見えない聞き手が自分の発言を実際に聞いているか否かを確認するためには聞き手からの返答を聞く必要があった。
【０００９】
そこで、本発明は、同報通信における通話を行ないながら聞き手であるグループメンバの意思表示を把握することができる同報送信システム、サーバ装置、端末装置、データ配信方法およびプログラムを提供することを目的とする。
【課題を解決するための手段】
【００１０】
請求項１記載の発明は、ネットワークを介して接続されているサーバと、複数の端末装置と、を含む同報送信システムであって、端末装置は、ＰＴＴ通話中に、データをサーバに送信するデータ送信手段と、サーバから集計結果データを受信して出力する出力手段と、を備え、サーバは、端末装置から受信したデータの集計を行なう集計手段と、集計結果データをＰＴＴ通話メンバが使用する端末装置に送信する集計データ送信手段とを備えることを特徴とする同報送信システムである。
【００１１】
請求項２記載の発明は、請求項１記載の同報送信システムにおいて、端末装置は、サーバ装置への集計要求を送信する集計要求手段を備え、サーバの集計手段は、端末装置から集計要求があったときにデータの集計を行なうことを特徴とする。
【００１２】
請求項３記載の発明は、請求項１または２記載の同報送信システムにおいて、サーバは、端末装置へ集計案内データを送信する集計案内手段を備え、端末装置の出力手段は、サーバから集計案内があったときに集計案内データを出力することを特徴とする。
【００１３】
請求項４記載の発明は、請求項１から３のいずれか１項に記載の同報送信システムにおいて、サーバの集計手段は、所定の時間内に受信した受信したデータの集計を行なうことを特徴とする。
【００１４】
請求項５記載の発明は、請求項１から４のいずれか１項に記載の同報送信システムにおいて、サーバの集計手段は、複数の選択肢から端末装置が選択したデータの集計を行なうことを特徴とする。
【００１５】
請求項６記載の発明は、請求項１から５のいずれか１項に記載の同報送信システムにおいて、サーバの集計手段は、端末装置のうち応答があったものと応答がなかったものについてそれぞれの集計を行なうことを特徴とする。
【００１６】
請求項７記載の発明は、請求項１から６のいずれか１項に記載の同報送信システムにおいて、端末装置は、サーバへの集計処理の終了要求を発行する集計処理要求手段を備え、サーバの集計手段は、端末装置から集計処理の終了要求があったときにデータの集計処理を終了することを特徴とする。
【００１７】
請求項８記載の発明は、請求項１から７のいずれか１項に記載の同報送信システムにおいて、サーバは、集計手段により集計されたデータに基づいて端末装置に送信するデータを作成する作成手段を備えることを特徴とする。
【００１８】
請求項９記載の発明は、請求項１から８のいずれか１項に記載の同報送信システムにおいて、サーバは、前回の集計値データをクリアするリセット手段を備えることを特徴とする。
【００１９】
請求項１０記載の発明は、請求項１から９のいずれか１項に記載の同報送信システムにおいて、端末装置のデータ送信手段が、サーバに送信するデータは、テキストデータであることを特徴とする。
【００２０】
請求項１１記載の発明は、ネットワークを介して接続されているＰＴＴ通話中の端末装置から受信したデータの集計を行なう集計手段と、集計結果データをＰＴＴ通話メンバが使用する端末装置に送信する集計データ送信手段とを備えることを特徴とするサーバ装置である。
【００２１】
請求項１２記載の発明は、請求項１１記載のサーバ装置において、集計手段は、端末装置から集計要求があったときにデータの集計を行なうことを特徴とする。
【００２２】
請求項１３記載の発明は、請求項１１または１２記載のサーバ装置において、サーバは、端末装置へ集計案内データを送信する集計案内手段を備えることを特徴とする。
【００２３】
請求項１４記載の発明は、請求項１１から１３のいずれか１項に記載のサーバ装置において、集計手段は、所定の時間内に受信した受信したデータの集計を行なうことを特徴とする。
【００２４】
請求項１５記載の発明は、請求項１１から１４のいずれか１項に記載のサーバ装置において、集計手段は、複数の選択肢から端末装置が選択したデータの集計を行なうことを特徴とする。
【００２５】
請求項１６記載の発明は、請求項１１から１５のいずれか１項に記載のサーバ装置において、集計手段は、端末装置のうち応答があったものと応答がなかったものについてそれぞれの集計を行なうことを特徴とする。
【００２６】
請求項１７記載の発明は、請求項１１から１６のいずれか１項に記載のサーバ装置において、集計手段は、端末装置から集計処理の終了要求があったときにデータの集計処理を終了することを特徴とする。
【００２７】
請求項１８記載の発明は、請求項１１から１７のいずれか１項に記載のサーバ装置において、集計手段により集計されたデータに基づいて端末装置に送信するデータを作成する作成手段を備えることを特徴とする。
【００２８】
請求項１９記載の発明は、請求項１１から１８のいずれか１項に記載のサーバ装置において、前回の集計値データをクリアするリセット手段を備えることを特徴とする。
【００２９】
請求項２０記載の発明は、請求項１１から１９のいずれか１項に記載のサーバ装置において、集計手段が、端末装置から受信して集計するデータは、テキストデータであることを特徴とする。
【００３０】
請求項２１記載の発明は、ＰＴＴ通話中に、データをネットワークを介して接続されているサーバに送信するデータ送信手段と、サーバから該サーバが受信したデータを集計した集計結果データを受信して出力する出力手段とを備えることを特徴とする端末装置である。
【００３１】
請求項２２記載の発明は、請求項２１記載の端末装置において、サーバ装置への集計要求を送信する集計要求手段を備えることを特徴とする。
【００３２】
請求項２３記載の発明は、請求項２１または２２記載の端末装置において、出力手段は、サーバから集計案内があったときに集計案内データを出力することを特徴とする。
【００３３】
請求項２４記載の発明は、請求項２１から２３のいずれか１項に記載の端末装置において、サーバへの集計処理の終了要求を発行する集計処理要求手段を備えることを特徴とする。
【００３４】
請求項２５記載の発明は、請求項２１から２４のいずれか１項に記載の端末装置において、データ送信手段が、サーバに送信するデータは、テキストデータであることを特徴とする。
【００３５】
請求項２６記載の発明は、ネットワークを介して接続されているサーバと、複数の端末装置と、を利用したデータ配信方法であって、端末装置が、データ送信手段によってＰＴＴ通話中に、データをサーバに送信するステップを有し、サーバが、集計手段によって端末装置から受信したデータの集計を行なうステップと、集計データ送信手段によって集計結果データをＰＴＴ通話メンバが使用する端末装置に送信するステップとを有し、端末装置が、サーバから集計結果データを受信して出力する出力手段によってステップとをさらに有することを特徴とするデータ配信方法である。
【００３６】
請求項２７記載の発明は、請求項２６記載のデータ配信方法において、端末装置が、集計要求手段によってサーバ装置への集計要求を送信するステップをさらに有し、サーバの集計手段は、端末装置から集計要求があったときにデータの集計を行なうことを特徴とする。
【００３７】
請求項２８記載の発明は、請求項２６または２７記載のデータ配信方法において、サーバが、集計案内手段によって端末装置へ集計案内データを送信するステップをさらに有し、端末装置の出力手段は、サーバから集計案内があったときに集計案内データを出力することを特徴とする。
【００３８】
請求項２９記載の発明は、請求項２６から２８のいずれか１項に記載のデータ配信方法において、サーバの集計手段は、所定の時間内に受信した受信したデータの集計を行なうことを特徴とする。
【００３９】
請求項３０記載の発明は、請求項２６から２９のいずれか１項に記載のデータ配信方法において、サーバの集計手段は、複数の選択肢から端末装置が選択したデータの集計を行なうことを特徴とする。
【００４０】
請求項３１記載の発明は、請求項２６から３０のいずれか１項に記載のデータ配信方法において、サーバの集計手段は、端末装置のうち応答があったものと応答がなかったものについてそれぞれの集計を行なうことを特徴とする。
【００４１】
請求項３２記載の発明は、請求項２６から３１のいずれか１項に記載のデータ配信方法において、端末装置が、集計処理要求手段によってサーバへの集計処理の終了要求を発行するステップをさらに有し、サーバの集計手段は、端末装置から集計処理の終了要求があったときにデータの集計処理を終了することを特徴とする。
【００４２】
請求項３３記載の発明は、請求項２６から３２のいずれか１項に記載のデータ配信方法において、サーバが、作成手段によって、集計手段により集計されたデータに基づいて端末装置に送信するデータを作成するステップをさらに有することを特徴とする。
【００４３】
請求項３４記載の発明は、請求項２６から３３のいずれか１項に記載のデータ配信方法において、サーバが、リセット手段によって前回の集計値データをクリアするステップをさらに有することを特徴とする。
【００４４】
請求項３５記載の発明は、請求項２６から３４のいずれか１項に記載のデータ配信方法において、端末装置がデータ送信手段によってサーバに送信するデータは、テキストデータであることを特徴とする。
【００４５】
請求項３６記載の発明は、端末装置に、データ送信手段によってＰＴＴ通話中に、データをネットワークを介して接続されているサーバに送信するステップを実行させ、サーバに、集計手段によって端末装置から受信したデータの集計を行なうステップと、集計データ送信手段によって集計結果データをＰＴＴ通話メンバが使用する端末装置に送信するステップとを実行させ、端末装置に、サーバから集計結果データを受信して出力する出力手段によってステップと、をさらに実行させることを特徴とするプログラムである。
【００４６】
請求項３７記載の発明は、請求項３６記載のプログラムにおいて、端末装置に、集計要求手段によってサーバ装置への集計要求を送信するステップをさらに実行させ、サーバの集計手段に、端末装置から集計要求があったときにデータの集計を行なわせることを特徴とする。
【００４７】
請求項３８記載の発明は、請求項３６または３７記載のプログラムにおいて、サーバに、集計案内手段によって端末装置へ集計案内データを送信するステップをさらに実行させ、端末装置の出力手段は、サーバから集計案内があったときに集計案内データを出力させることを特徴とする。
【００４８】
請求項３９記載の発明は、請求項３６から３８のいずれか１項に記載のプログラムにおいて、サーバの集計手段に、所定の時間内に受信した受信したデータの集計を行なわせることを特徴とする。
【００４９】
請求項４０記載の発明は、請求項３６から３９のいずれか１項に記載のプログラムにおいて、サーバの集計手段に、複数の選択肢から端末装置が選択したデータの集計を行なわせることを特徴とする。
【００５０】
請求項４１記載の発明は、請求項３６から４０のいずれか１項に記載のプログラムにおいて、サーバの集計手段に、端末装置のうち応答があったものと応答がなかったものについてそれぞれの集計を行なわせることを特徴とする。
【００５１】
請求項４２記載の発明は、請求項３６から４１のいずれか１項に記載のプログラムにおいて、端末装置に、集計処理要求手段によってサーバへの集計処理の終了要求を発行するステップをさらに実行させ、サーバの集計手段に、端末装置から集計処理の終了要求があったときにデータの集計処理を終了させることを特徴とする。
【００５２】
請求項４３記載の発明は、請求項３６から４２のいずれか１項に記載のプログラムにおいて、サーバに、作成手段によって、集計手段により集計されたデータに基づいて端末装置に送信するデータを作成するステップをさらに実行させることを特徴とする。
【００５３】
請求項４４記載の発明は、請求項３６から４３のいずれか１項に記載のプログラムにおいて、サーバに、リセット手段によって前回の集計値データをクリアするステップをさらに実行させることを特徴とする。
【００５４】
請求項４５記載の発明は、請求項３６から４４のいずれか１項に記載のプログラムにおいて、端末装置にデータ送信手段によってサーバに送信させるデータは、テキストデータであることを特徴とする。
【発明の効果】
【００５５】
本発明の同報送信システム、サーバ装置、端末装置、データ配信方法およびプログラムによれば、同報通信における通話を行ないながら聞き手であるグループメンバの意思表示を把握することができる。
【発明を実施するための最良の形態】
【００５６】
次に、本発明の第１の実施の形態について図を参照して詳細に説明する。
【００５７】
図１を参照すると、本実施の形態における同報送信システムは、ＰＴＴサーバ１００と、端末装置３００Ａと、端末装置３００Ｂと、端末装置３００Ｃから構成されている。また、これらの装置は、プログラム制御により動作し、ネットワーク２００を介して相互に接続されている。ネットワーク２００は、好適には既存の電話網等であるが、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００５８】
図２を参照すると、ＰＴＴサーバ１００は、ＰｏＣを実現するＰＴＴプラットフォームとして利用される情報処理装置であり、通信部１０１と、グループリスト管理部１０２と、決定部１０３と、発言権制御部１０４と、音声制御部１０５と、テキスト集計部１０６とから構成されている。
【００５９】
通信部１０１は、ネットワーク２００を介して端末装置３００Ａ、端末装置３００Ｂおよび端末装置３００Ｃと通信を行なう機能を有している。
【００６０】
グループリスト管理部１０２は、同報送信での通話グループのグループリストの管理を行なう機能を有している。グループメンバ等の情報の追加、更新、削除等の処理がなされる。
【００６１】
ここで、同報送信での通話グループのグループリストの一例を図３に示す。グループＩＤは、通話グループを識別するための情報であり、この例では、グループＡとグループＢの２つのグループが存在している。ユーザＩＤは、同報送信での通話グループを行なうユーザを識別するための情報であり、この例では、ユーザＡ〜Ｆまでの６人が存在している。端末識別番号は、同報送信での通話グループを行なうユーザが用いる端末装置を識別するための情報であり、この例では、１０１〜１０６の番号が割り当てられている。「発言権」欄は、同報送信での通話グループにおいて、グループメンバに対して発言権を有しているユーザないしは端末装置を特定するための情報であり、「有り」の場合に発言権を有していることとなる。
【００６２】
決定部１０３は、グループリスト管理部１０２のグループリストを参照して発言者からのデータを送信する通話グループの端末装置を決定する機能を有している。
【００６３】
発言権制御部１０４は、通話グループ内の端末装置３００Ａ、端末装置３００Ｂおよび端末装置３００Ｃからの発言権要求に対して発言権の付与を行なう機能を有している。
【００６４】
音声制御部１０５は、発言権が付与された端末装置に入力された発言者の音声データを通話グループ内の端末装置３００Ａ、端末装置３００Ｂおよび端末装置３００Ｃに送信する機能を有している。
【００６５】
テキスト集計部１０６は、端末装置３００Ａ、端末装置３００Ｂおよび端末装置３００Ｃから受け取ったテキストデータを種類別に集計し、通話グループの各端末装置に集計結果データを送信する機能を有している。なお、各端末装置から送信され、集計されるデータは、テキストデータに限定されず、フラグ等でもよく、また、音声データや静止画、動画等の画像データであってもよい。例えば、音声で指定された数字をテキストデータに変換する機構を利用したり、バーコード等を読み取り値を特定すること等である。
【００６６】
ここで、テキスト集計部１０６のさらに詳細な機能ブロック図の一例を図４に示すが、他の機能が付加された構成であってもよいことはもちろんである。
【００６７】
図４を参照すると、テキスト集計部１０６は、集計要求受付部１０６−１と、集計値リセット部１０６−２と、集計終了時間設定部１０６−３と、集計案内送信部１０６−４と、データ受信部１０６−５と、重複判定部１０６−６と、カウント部１０６−７と、タイマ部１０６−８と、メンバ判定部１０６−９と、集計終了受付部１０６−１０と、集計結果作成部１０６−１１と、集計結果送信部１０６−１２から構成されている。
【００６８】
集計要求受付部１０６−１は、発言権を有する端末装置から発行された集計要求を受け付ける機能を有している。
【００６９】
集計値リセット部１０６−２は、前回の集計により集計された集計データをクリアしてリセットする機能を有している。これにより、複数回の集計が実行されるときに、前回の集計値に誤って、累積して集計してしまうことを回避することができる。
【００７０】
集計終了時間設定部１０６−３は、グループ内の各端末装置から集計されるデータの受付けを終了する時間を設定する機能を有している。例えば、集計案内が送信されてから５分等である。この集計終了時間は、発言権を有する端末装置からその都度指定されることであってもよく、また、システムとして予め設定されている値が用いられてもよい。
【００７１】
集計案内送信部１０６−４は、発言権を有する端末装置から発行された集計要求に基づいて集計の開始を案内するメッセージを各端末装置に送信する機能を有している。
【００７２】
データ受信部１０６−５は、グループ内の各端末装置から集計されるデータを受け付ける機能を有している。
【００７３】
重複判定部１０６−６は、同一の端末装置から重複するデータを受け取っているか否かを判断する機能を有している。これにより、例えば、携帯電話機等でデータ送信中に圏外となり、再送した場合等に発生し得る、同一の端末装置からの重複するデータが重複して集計されることを回避することができる。
【００７４】
カウント部１０６−７は、グループ内の各端末装置から受け付けた集計されるデータを種類別に件数をカウントする機能を有している。
【００７５】
タイマ部１０６−８は、集計終了時間設定部１０６−３により設定された各端末装置から集計されるデータの受付けを終了する時間が経過したか否かを判断する機能を有している。
【００７６】
メンバ判定部１０６−９は、通話グループのグループメンバが用いる端末装置のうち集計されるデータを受信済みのものと未だ受信していないものを判別する機能を有している。
【００７７】
集計終了受付部１０６−１０は、発言権を有する端末装置から発行された集計終了の要求を受け付ける機能を有している。
【００７８】
集計結果作成部１０６−１１は、各端末装置に対して送信する集計結果である送信データを作成する機能を有している。
【００７９】
集計結果送信部１０６−１２は、集計結果作成部１０６−１１により作成された集計結果である送信データを各端末装置に対して送信する機能を有している。
【００８０】
図５を参照すると、端末装置３００Ａ、端末装置３００Ｂおよび端末装置３００Ｃは、ＰｏＣサービスを利用するクライアントであり、例えば、ノート型パーソナルコンピュータ、携帯電話機、ＰＨＳ、ＰＤＡ（携帯情報端末）等である。通信部３０１と、液晶表示部３０２と、マイク３０３と、スピーカ３０４と、操作部３０５から構成されている。
【００８１】
ここで、端末装置３００Ａ、端末装置３００Ｂおよび端末装置３００Ｃの一例である携帯電話機の概略構成図を図６に示す。図６を参照すると、携帯電話機は、液晶表示部３０２と、マイク３０３と、スピーカ３０４と、操作部３０５から構成されており、さらに、操作部３０５は、ＰＴＴボタン３０５−１と、ダイアルボタン３０５−２と、送信ボタン３０５−３と、集計要求ボタン３０５−４と、集計終了ボタン３０５−５を備えている。
【００８２】
以下に、図５および図６を参照して説明を行なう。通信部３０１は、ネットワーク２００を介してＰＴＴサーバ１００と通信を行なう機能を有している。
【００８３】
表示部３０２は、ＰＴＴサーバ１００から受け取ったテキストデータ、画像（静止画、動画）データ等および操作部３０５のダイアルボタン３０５−２を押下して自端末装置内に入力された文字データを表示する機能を有している。例えば、ＣＲＴ、ＬＣＤ等によって実現される。図６に示す携帯電話機においては、液晶表示部３０２として、折り畳み可能な携帯電話機本体の上半分部分として構成されている。
【００８４】
マイク３０３は、発言者の音声を音声データとして自端末装置内に取り込む機能を有している。図６に示す携帯電話機においては、マイク３０３として、通常の通話を行なう通話口の機能を併せ持つ機構として構成されている。
【００８５】
スピーカ３０４は、ＰＴＴサーバ１００から受け取った音声データを含む音データを再生する機能を有している。図６に示す携帯電話機においては、スピーカ３０４として、通常の通話を行なう受話口の機能を併せ持つ機構として構成されている。
【００８６】
操作部３０５は、ＰＴＴボタン３０５−１と、ダイアルボタン３０５−２と、送信ボタン３０５−３と、集計ボタン３０５−４を含む。図６に示す携帯電話機においては、操作部３０５として、折り畳み可能な携帯電話機本体の下半分部分として構成されている。
【００８７】
ＰＴＴボタン３０５−１を押下するとＰＴＴサーバ１００に発言権の要求がなされる。図６に示す携帯電話機においては、ＰＴＴボタン３０５−１として、一般のファンクションボタンのうちの最上段の左端の一つが割り当てられている。
【００８８】
ダイアルボタン３０５−２を押下すると自端末装置内に文字（テキスト）データが入力されることとなる。図６に示す携帯電話機においては、ダイアルボタン３０５−２として、通常、電話番号を入力したり、電子メール等のテキストデータを入力する際に用いられる、一つのボタンに１〜９および０のいずれかの数字と、文字が割り振られている１０個のボタンである。
【００８９】
送信ボタン３０５−３を押下するとＰＴＴサーバ１００にダイアルボタン３０５−２の押下により入力されたテキストデータが送信される。図６に示す携帯電話機においては、送信ボタン３０５−３として、一般のファンクションボタンのうちの最上段の中央の一つが割り当てられている。
【００９０】
集計要求ボタン３０５−４を押下するとＰＴＴサーバ１００に集計要求が発行される。図６に示す携帯電話機においては、集計要求ボタン３０５−４として、通常、「＊」が表示されているボタンである最下段の左端のボタンが割り当てられている。なお、図６に示す携帯電話機においては、集計終了ボタン３０５−５として、通常、「＃」が表示されているボタンである最下段の右端のボタンが割り当てられている。集計終了ボタン３０５−５を押下するとＰＴＴサーバ１００に集計終了要求が発行されることであってもよい。
【００９１】
次に、図７および図８のシーケンス図を参照して本実施の形態における通話グループのグループメンバのデータを集計する処理動作について詳細に説明する。同報通信を行なっている際に、発言権を有する者（端末装置３００Ａを使用するユーザＡ）がグループメンバに対して賛成または反対の意思を求めたい場合を前提とする。なお、端末装置３００Ａは、ＰＴＴボタン３０５−１が押下られＰＴＴサーバ１００に発言権の要求がなされているものとする。
【００９２】
まず、発言権を有する者がテキスト集計の案内と賛成および反対意思に対応したダイアルボタン名を、通話グループのグループメンバに知らせるまでの処理動作のフローについて図７を参照して説明する。
【００９３】
端末装置３００Ａの通信部３０１は、集計要求ボタン３０５−４が押下られるとネットワーク２００を介してＰＴＴサーバ１００に集計要求を発行する（ステップＳ７０１）。ここで、集計終了時間として集計案内が送信されてから５分間という指定も同時になされていることとする。なお、必要に応じて、賛成および反対意思に対応したダイアルボタン名等の説明用のテキストメッセージが同時に端末装置３００ＡからＰＴＴサーバ１００に送信されてもよく、また、発言者がテキスト集計の案内と賛成および反対意思に対応したダイアルボタン名を音声により自端末装置３００Ａのマイク３０３に入力し、端末装置３００Ａが、マイク３０３から入力された音声データをＰＴＴサーバ１００に送信することであってもよい。ここでは、賛成の場合には、ダイアルボタン３０５−２の「１」を指定し、反対の場合には、ダイアルボタン３０５−２の「２」を指定する旨の説明用のテキストメッセージを送信しているものとする。
【００９４】
ＰＴＴサーバ１００の通信部１０１は、ネットワーク２００を介して端末装置３００Ａから受信した集計要求を自装置の集計要求受付部１０６−１に渡し、集計要求受付部１０６−１は、端末装置３００Ａが発行した集計要求を受け付ける（ステップＳ７０２）。
【００９５】
ＰＴＴサーバ１００の集計値リセット部１０６−２は、前回の集計により集計された集計データをクリアしてリセットする（ステップＳ７０３）。
【００９６】
次に、ＰＴＴサーバ１００の集計終了時間設定部１０６−３は、上記のステップＳ７０１で端末装置３００Ａから受け付けた集計終了時間である集計案内が送信されてから５分間という値を、グループ内の各端末装置から集計されるデータの受付けを終了する時間として設定する（ステップＳ７０４）。
【００９７】
ＰＴＴサーバ１００の決定部１０３は、グループリスト管理部１０２のグループリストを参照して端末装置３００Ａから受信した発言者の音声データを送信する通話グループの端末装置を決定し、ＰＴＴサーバ１００の集計案内送信部１０６−４は、端末装置３００Ａから受け付けた集計要求に基づいて集計の開始を案内するメッセージを通話グループの各端末装置に送信する（ステップＳ７０５）。図３を参照すると、ここでは、端末装置３００Ａを使用するユーザＡがグループＡに属するので、グループＡに属する端末装置３００Ｂおよび端末装置３００Ｃの端末識別番号である１０２および１０３に基づいて集計の開始を案内するメッセージを通話グループの端末装置３００Ｂおよび端末装置３００Ｃに送信することとなる。
【００９８】
端末装置３００Ｂおよび端末装置３００Ｃは、ネットワーク２００を介してＰＴＴサーバ１００から集計の開始を案内するメッセージを受信し（ステップＳ７０６）、端末装置３００Ｂおよび端末装置３００Ｃの表示部３０２は、ＰＴＴサーバ１００から受信した集計の開始を案内するメッセージを表示する（ステップＳ７０７）。さらに、端末装置３００Ｂおよび端末装置３００Ｃの表示部３０２は、賛成の場合には、ダイアルボタン３０５−２の「１」を指定し、反対の場合には、ダイアルボタン３０５−２の「２」を指定する旨の説明用のテキストメッセージをも表示する。なお、集計の開始を案内するメッセージの送信と、説明用のテキストメッセージの送信等による集計開始は、必ずしも同時であることを必要としなく、まず、集計の開始を案内するメッセージの送信がなされ、その後に、説明用のテキストメッセージの送信等による集計開始がなされてもよい。
【００９９】
また、端末装置３００Ｂおよび端末装置３００Ｃのスピーカ３０４は、受信した発言者の音声データを再生することにより、通話グループメンバにテキスト集計の案内と賛成および反対に対応したダイアルボタン名が通知されることであってもよい。
【０１００】
次に、通話グループのグループメンバの賛成または反対意思のテキスト集計の処理動作のフローについて図７および図８を参照して説明する。以下では、端末装置３００Ｂおよび端末装置３００Ｃにおける必要なフローは基本的に同様であるので端末装置Ｂについて説明することとする。
【０１０１】
端末装置Ｂの送信ボタン３０５−３を押下するとダイアルボタン３０５−２の押下により入力されたテキストデータが通信部３０１とネットワーク２００を介してＰＴＴサーバ１００に送信される（ステップＳ７０８）。ここでは、端末装置Ｂのダイアルボタン３０５−２が押下られると自端末装置内に文字（テキスト）データが入力される。すなわち、賛成の場合には、ダイアルボタン３０５−２の「１」を押下げ、反対の場合には、ダイアルボタン３０５−２の「２」を押下げる。なお、送信されるデータに、例えば、図９に示すようなユーザのニックネーム等を付加データとして添付してもよい。付加データには、テキストデータ以外に音データや画像データも含まれることはもちろんである。
【０１０２】
そして、同様の処理が、端末装置３００Ｃにおいてもなされる。なお、集計要求を発行した端末装置３００Ａ自身においても同様の処理がなされてもよい。
【０１０３】
次に、ＰＴＴサーバ１００のデータ受信部１０６−５は、通信部１０１とネットワーク２００を介して通話グループの端末装置３００Ｂおよび端末装置３００Ｃから集計されるデータを受信する（ステップＳ７０９）。
【０１０４】
ＰＴＴサーバ１００の重複判定部１０６−６は、同一の端末装置から重複するデータを受け取っているか否かを判断する（ステップＳ７１０）。この判断は、端末識別番号と受信したデータの内容の同一性を判定することによってなされる。
【０１０５】
ＰＴＴサーバ１００の重複判定部１０６−６により、同一の端末装置から重複するデータを受け取っていると判断された場合（ステップＳ７１０／ＹＥＳ）には、ステップＳ８０１に進む。
【０１０６】
一方、ＰＴＴサーバ１００の重複判定部１０６−６により、同一の端末装置から重複するデータを受け取っていないと判断された場合（ステップＳ７１０／ＮＯ）には、ＰＴＴサーバ１００のカウント部１０６−７は、グループ内の各端末装置から受け付けた集計されるデータについて種類別に件数をカウントする（ステップＳ７１１）。すなわち、受信したデータの中から、賛成の意思表示である「１」と、反対の意思表示である「２」をそれぞれカウントする。
【０１０７】
ＰＴＴサーバ１００のタイマ部１０６−８は、集計終了時間設定部１０６−３により設定された各端末装置から集計されるデータの受付けを終了する時間である集計案内が送信されてから５分間が経過したか否かを判断する（ステップＳ８０１）。
【０１０８】
ＰＴＴサーバ１００のタイマ部１０６−８により集計案内が送信されてから５分間が経過したと判断された場合（ステップＳ８０１／ＹＥＳ）には、ステップＳ８０５に進む。
【０１０９】
一方、ＰＴＴサーバ１００のタイマ部１０６−８により集計案内が送信されてから５分間が経過していないと判断された場合（ステップＳ８０１／ＮＯ）には、ＰＴＴサーバ１００のメンバ判定部１０６−９は、通話グループのグループメンバ全員分のデータを集計済みであるか否かを判別する（ステップＳ８０２）。これは、例えば、図９に示すようなテーブルに端末装置毎に応答済であるか否かとその応答時の集計に用いられるデータの情報を格納しておき、そのテーブルを参照することによって判別が行なわれてもよい。
【０１１０】
ＰＴＴサーバ１００のメンバ判定部１０６−９により、通話グループのグループメンバ全員分のデータを集計済みであると判別された場合（ステップＳ８０２／ＹＥＳ）には、ステップＳ８０５に進む。
【０１１１】
一方、ＰＴＴサーバ１００のメンバ判定部１０６−９により、通話グループのグループメンバ全員分のデータを集計済みでないと判別された場合（ステップＳ８０２／ＮＯ）には、ステップＳ７０９に戻り、以降、上述の処理を繰り返す。
【０１１２】
また、発言権を有する端末装置である端末装置３００Ａの集計終了ボタン３０５−５が押下られ、ＰＴＴサーバ１００に集計終了要求が発行されると（ステップＳ８０３）、ＰＴＴサーバ１００の集計終了受付部１０６−１０は、発行された集計終了要求を通信部１０１とネットワーク２００を介して受け付け（ステップＳ８０４）、そしてステップＳ８０５に進む。すなわち、上記のステップＳ７０９〜Ｓ８０２のデータ集計処理中であっても、集計終了要求によりデータ集計処理が強制的に中断され、終了することとなるのである。
【０１１３】
したがって、データ集計処理は、上記のステップＳ８０１における集計終了時間の経過、上記のステップＳ８０２におけるグループメンバ全員分のデータ集計完了および上記のステップＳ８０４における集計終了要求の受付の３要件のいずれかが満たされたときに終了し、ステップＳ８０５に進むこととなる。
【０１１４】
ＰＴＴサーバ１００の集計結果作成部１０６−１１は、データ集計処理が終了すると、それまでの集計結果に基づいて、通話グループのグループメンバが使用する端末装置に対して送信する送信データを作成する（ステップＳ８０５）。集計結果の表示態様の指定や付加情報の添付等がなされる。
【０１１５】
ＰＴＴサーバ１００の決定部１０３は、グループリスト管理部１０２のグループリストを参照して集計結果作成部１０６−１１により作成された送信データを送信する通話グループの端末装置を決定し、ＰＴＴサーバ１００の集計結果送信部１０６−１２は、その送信データを通話グループのグループメンバが使用する端末装置３００Ａ、端末装置３００Ｂおよび端末装置３００Ｃに対して通信部１０１とネットワーク２００を介して送信する（ステップＳ８０６）。なお、その送信データは、通話グループのグループメンバが使用する全端末装置に送信されることであっても、応答済みの端末装置のみに限定したりその他特定の端末装置にのみ送信されることであってもよい。
【０１１６】
端末装置３００Ａ、端末装置３００Ｂおよび端末装置３００Ｃの通信部３０１は、ネットワーク２００を介してＰＴＴサーバ１００から集計結果データを受信し（ステップＳ８０７）、端末装置３００Ａ、端末装置３００Ｂおよび端末装置３００Ｃの集計結果データを表示部３０２に、例えば、図１０に示すように表示する（ステップＳ８０８）。
【０１１７】
なお、集計結果データを出力することができればどのような形態であってもよく、例えば、所定の表示部に画像や動画を表示したり、スピーカ３０４から音データを再生したり、何らかの処理が施されるデータを他の処理部に受け渡したりすることであってもよい。
【０１１８】
上記の実施の形態によれば、ＰＴＴ通話を行ないながら聞き手であるＰＴＴグループメンバの意見を把握することが可能である。その理由は、ＰＴＴ通話中にテキストデータ等の送受信を行なえるので、複数人の音声を同時に送信できない点と異なり、賛成か反対かの意思表示をテキストに置き換えて送信することにより、短時間でＰＴＴ通話グループメンバの意思を確認することができるからである。
【０１１９】
次に、本発明の第２の実施の形態について説明する。
【０１２０】
本実施の形態における同報送信システムの構成は、基本的に上記の第１の実施の形態と同様であるが、上記の第１の実施の形態では、選択肢が賛成の場合には、ダイアルボタン３０５−２の「１」を指定し、反対の場合には、ダイアルボタン３０５−２の「２」を指定するという、２つであるのに対して、３つ以上である点が相違する。
【０１２１】
したがって、図８のステップＳ８０８で端末装置３００Ａ、端末装置３００Ｂおよび端末装置３００Ｃの表示部３０２に表示される集計結果データは、例えば、図１１に示すようなものとなる。
【０１２２】
本実施の形態によれば、仲間同士のＰＴＴグループ通話中において、３つ以上の選択肢からグループメンバの意見の確認および多数決を行なうことができ、また、ＰＴＴグループ通話により出題したクイズの回答手段としても利用することができ、さらに、グループメンバの注文オーダー等を集計する手段としても利用可能である。
【０１２３】
次に、本発明の第３の実施の形態について説明する。
【０１２４】
本実施の形態における同報送信システムの構成は、基本的に上記の第１の実施の形態と同様であるが、上記の第１の実施の形態では、選択肢が賛成の場合には、ダイアルボタン３０５−２の「１」を指定し、反対の場合には、ダイアルボタン３０５−２の「２」を指定するという、２つであるのに対して、応答がなされたか否かの観点から集計する点が相違する。
【０１２５】
したがって、図８のステップＳ８０５でＰＴＴサーバ１００の集計結果作成部１０６−１１が作成する送信データは、例えば、図９に示すようなテーブルを参照して応答済である端末装置と応答がない端末装置がそれぞれ集計されたものであってもよい。
【０１２６】
また、図８のステップＳ８０８で端末装置３００Ａ、端末装置３００Ｂおよび端末装置３００Ｃの表示部３０２に表示される集計結果データは、例えば、図１２に示すようなものとなる。
【０１２７】
本実施の形態によれば、団体行動中のグループ毎の点呼手段としても利用可能である。
【０１２８】
なお、上述する各実施の形態は、本発明の好適な実施の形態であり、本発明の要旨を逸脱しない範囲内において種々変更実施が可能である。例えば、上記の各実施の形態におけるＰＴＴサーバ１００および端末装置３００Ａ等の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【０１２９】
上述する各実施の形態は、ＰＴＴサーバ１００および端末装置３００Ａ等が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【０１３０】
【図１】本発明の実施形態における同報送信システムの概略構成図である。
【図２】本発明の実施形態におけるＰＴＴサーバの機能を示すブロック図である。
【図３】本発明の実施形態におけるグループリストの構成の一例を示す図である。
【図４】本発明のテキスト集計部の機能を示すブロック図である。
【図５】本発明の実施形態における端末装置の機能を示すブロック図である。
【図６】端末装置の一例である携帯電話機の全体構成図である。
【図７】データ集計の処理動作を示すシーケンス図である。
【図８】データ集計の処理動作を示すシーケンス図である。
【図９】本発明の実施形態における応答情報を格納するテーブルの構成図である。
【図１０】本発明の第１の実施形態における端末装置の画面表示例を示す図である。
【図１１】本発明の第２の実施形態における端末装置の画面表示例を示す図である。
【図１２】本発明の第３の実施形態における端末装置の画面表示例を示す図である。
【符号の説明】
【０１３１】
１００    ＰＴＴサーバ
２００    ネットワーク
３００Ａ、３００Ｂ、３００Ｃ    端末装置
【図１】
2006304177.tif 000003
【図２】
2006304177.tif 000004
【図３】
2006304177.tif 000005
【図４】
2006304177.tif 000006
【図５】
2006304177.tif 000007
【図６】
2006304177.tif 000008
【図７】
2006304177.tif 000009
【図８】
2006304177.tif 000010
【図９】
2006304177.tif 000011
【図１０】
2006304177.tif 000012
【図１１】
2006304177.tif 000013
【図１２】
2006304177.tif 000014